(57)【要約】【課題】従来に比べ友釣り効率を大幅に改善可能な鮎の友釣り用掛けバリを提供する。【解決手段】囮鮎の下腹部に打ち込み係止する逆バリから伸長したハリスに前記囮鮎の後方に流す掛けバリを設ける鮎の友釣り用仕掛けにおいて、前記掛けバリは、所定の長さ直線状に伸長する結い代と、該結い代の基端側に設けられる結い元と、前記結い代の先端側に形成される残余の湾曲部と、該湾曲部がフトコロを有するように該湾曲部の先端に形成される針先を備え、前記結い代の延長線に対して４５°の角度で交差する第１の仮想線により前記湾曲部を結い元側湾曲部と針先側湾曲部に区分けした場合に、該針先側湾曲部に前記掛けバリの重心が位置すると共に、前記結い代の延長線に対して９０°の角度で交差する第２の仮想線よりも前記針先が前記９０°を超える側に出ている。【選択図】  図４
2018011548.tif 000002
【特許請求の範囲】
【請求項１】
囮鮎の下腹部に打ち込み係止する逆バリから伸長したハリスに前記囮鮎の後方に流す掛けバリを設ける鮎の友釣り用仕掛けにおいて、
前記掛けバリは、所定の長さ直線状に伸長する結い代と、該結い代の基端側に設けられる結い元と、前記結い代の先端側に形成される残余の湾曲部と、該湾曲部がフトコロを有するように該湾曲部の先端に形成される針先を備え、
前記結い代の延長線に対して４５°の角度で交差する第１の仮想線により前記湾曲部を結い元側湾曲部と針先側湾曲部に区分けした場合に、該針先側湾曲部に前記掛けバリの重心が位置すると共に、
前記結い代の延長線に対して９０°の角度で交差する第２の仮想線よりも前記針先が前記９０°を超える側に出ていることを特徴とする鮎の友釣り用掛けバリ。
【請求項２】
請求項１に記載の鮎の友釣り用掛けバリにおいて、前記結い元は、前記結い代に対して鱗をなめす様に反り返った施しをしていることを特徴とする鮎の友釣り用掛けバリ。
【発明の詳細な説明】
【技術分野】
【０００１】
本発明は、釣り針に関し、特に、鮎の友釣りに用いるのに好適な掛けバリに関する。
【背景技術】
【０００２】
従来、鮎釣りにおいては、釣り糸を介して囮鮎の顎等に口輪等を介して釣竿の先端から伸びる釣り糸を取り付ける一方、その囮鮎の尾に逆バリ及びハリスを介して釣り針（掛けバリ）を取り付け、その囮鮎を川の野鮎の縄張り内に泳がせることで、囮鮎を攻撃してくる野鮎を釣り針（掛けバリ）に引っ掛けて釣り上げる友釣りが行われており、その友釣りに用いる掛けバリについても、様々な形態のものが提案されている（例えば、特許文献１参照）。
【０００３】
即ち、鮎の友釣りは、ハリスに、ハナカンと逆バリと掛けバリが、所要の間隔をおいて先端方向に順次取り付けられ、そのハナカンを囮鮎の頭部上端（主として鼻の孔）に固定すると共に、鉤状の逆バリを囮鮎の下腹部の尻鰭の近くに差し込んでハリスを囮鮎に係止し、囮鮎にハリスを密着させて水中の囮鮎の後方に掛けバリを流す構造のものが用いられている。そして、その仕掛けを水中に投入すると、その投入部位を縄張りとする野鮎が、自己の縄張りに侵入した囮鮎を、縄張り外へ追い出す為の体当たり排撃をなす習性、即ち、囮鮎の下腹部・肛門付近を口で激しく攻撃して両者の魚体が激しく交差交絡する排撃行動をなす習性があるので、その激しい排撃行動中に、ハリスが野鮎に絡み、掛けバリが引っ掛かってささり、野鮎が釣り上げられる漁法になっている。
【先行技術文献】
【特許文献】
【０００４】
【特許文献１】特許第２５２３０８６号公報
【発明の概要】
【発明が解決しようとする課題】
【０００５】
しかし、野鮎の前記習性と性格にも強弱があり、上記の排撃行動を激しく長時間なすものと、淡泊にしかなさないものがあると共に、その野鮎の排撃行動は囮鮎の下腹部に沿って攻撃姿勢をとることが多い。従って、前記の従来構造の仕掛けでは、ハリス先端の掛けバリに引っ掛からないものが相当あり、特に、淡泊な排撃行動の野鮎は大半が逃げられてしまうので、掛けバリへの引っ掛かり確率が低く、友釣り効率が良好とは言えないという問題点がある。
【０００６】
一方、従来の鮎の友釣り用掛けバリでは、三本・四本イカリのものが多く、水流が弱いと川底の石等にすれて針先を傷めるだけでなく、川底の石等に掛ってしまい、無理に引き抜こうとすると、ハリスから切れて掛けバリを失う場合も多かった。
【０００７】
本発明は上述のような事情から為されたものであり、その目的は、上記の問題点を解消し、従来の掛けバリに比べ友釣り効率を大幅に改善可能な鮎の友釣り用掛けバリを提供することにある。
【課題を解決するための手段】
【０００８】
従来は、友釣り効率は、その川に野鮎が多いか否か、仕掛けを投入するポイントの良し悪し、或いは釣り人の腕次第であるとして、友釣り効率を高める掛けバリの構造等について深い考察はあまりなされていないのが実情であった。しかしながら、本発明者は、上記の問題点を解消することができる新たな鮎の友釣り用掛けバリの構造について深く地道な研究を鋭意重ねた結果、従来の友釣り効率が低調な原因のひとつに、掛けバリがチラシ、水流の中で、その針先側が上（川の水面）側を向いた状態、換言すれば、結い元側が下（川底）側を向いた状態で水中に浮遊することが多く、その状態では、囮鮎の下腹部・肛門付近を狙って攻撃してくる野鮎の脇腹等に針先が引っ掛かり難いことがあることを見出した。
【０００９】
即ち、上記目的を達成するため、本発明の第１の様相に係る鮎の友釣り用掛けバリは、囮鮎の下腹部に打ち込み係止する逆バリから伸長したハリスに前記囮鮎の後方に流す掛けバリを設ける鮎の友釣り用仕掛けにおいて、前記掛けバリは、所定の長さ直線状に伸長する結い代と、該結い代の基端側に設けられる結い元と、前記結い代の先端側に形成される残余の湾曲部と、該湾曲部がフトコロを有するように該湾曲部の先端に形成される針先を備え、前記結い代の延長線に対して４５°の角度で交差する第１の仮想線により前記湾曲部を結い元側湾曲部と針先側湾曲部に区分けした場合に、該針先側湾曲部に前記掛けバリの重心が位置すると共に、前記結い代の延長線に対して９０°の角度で交差する第２の仮想線よりも前記針先が前記９０°を超える側に出ていることを特徴とする。
【００１０】
このように、針先側湾曲部に掛けバリの重心が位置すると共に、結い代の延長線に対して９０°の角度で交差する第２の仮想線よりも針先が前記９０°を超える側に出ているので、水流の中で、その針先側が下（川底）側を向いた状態、換言すれば、結い元側が上（川の水面）側を向いた状態で水中に浮遊するようにできる結果、その状態では、囮鮎の下腹部・肛門付近を狙って攻撃してくる野鮎の脇腹等に針先が引っ掛かり易くなる。従って、従来の掛けバリに比べ友釣り効率を大幅に改善可能である。
【００１１】
また、前記結い元は、前記結い代に対して鱗をなめす様に反り返った施しをしているのが好適である。従来では、結い元が野鮎の横腹等に当接して邪魔になり、針先が野鮎に食い込むことなく蹴られてしまうことが多かったが、結い元が結い代に対して鱗をなめす様に反り返った施しをしていると、かかる事態を有効に防止することができる。
【図面の簡単な説明】
【００１２】
【図１】本発明の掛けバリが用いられる鮎の友釣り用仕掛けの主要部の構成を示す図である。
【図２】本発明の第１の実施形態の掛けバリの実施例１及び２の構成を示す図である。
【図３】本発明の第１の実施形態の掛けバリの実施例３及び４の構成を示す図である。
【図４】図２及び図３に示した実施例１乃至４を対比して示す第１の図である。
【図５】図２及び図３に示した実施例１乃至４を対比して示す第２の図である。
【図６】本発明の第１の実施形態の変形例に係る連結チラシ針の構成を示す図である。
【図７】図６に示した連結チラシ針の作用効果を説明するための図である。
【図８】本発明の第２の実施形態の掛けバリの構成を示す図である。
【図９】本発明の第２の実施形態の掛けバリの作用効果を説明するための第１の図である。
【図１０】本発明の第２の実施形態の掛けバリの作用効果を説明するための第２の図である。
【図１１】本発明の第２の実施形態の掛けバリの作用効果を説明するための第３の図である。
【発明を実施するための形態】
【００１３】
本発明の実施形態について図面を参照して説明する。図１は、本発明の掛けバリが用いられる鮎の友釣り用仕掛けの主要部の構成を示す図である。図１に示すように、本発明の掛けバリは、囮鮎１００の下腹部に差し込み係止する逆バリ１０２から伸長したハリス１０４に囮鮎１００の後方に流す掛けバリ３００を設ける鮎の友釣り用仕掛けに適用され、その掛けバリ３００を野鮎２００に引っ掛けて釣り上げる友釣りに使用するものである。
【００１４】
図２は、本発明の第１の実施形態の掛けバリ３００の構成を示す図であり、図２（ａ）は実施例１、図２（ｂ）は実施例２の構成をそれぞれ示す。図２（ａ）（ｂ）に示すように、掛けバリ３００は、所定の長さ直線状に伸長する結い代３０２と、結い代３０２の基端側に設けられる結い元３０４と、結い代３０２の先端側に形成される残余の湾曲部３１０と、湾曲部３１０がフトコロ３１２を有するように湾曲部３１０の先端に形成される針先３１４を備えている。そして、本実施形態の掛けバリ３００の特徴として、結い代３０２の延長線３０２Ｅに対して４５°の角度で交差する第１の仮想線ｉｍｇ１により湾曲部３１０を結い元側湾曲部３１０Ａと針先側湾曲部３１０Ｂに区分けした場合に、針先側湾曲部３１０Ｂに掛けバリ３００の重心が位置するように構成されている。また、結い代３０２の延長線３０２Ｅに対して９０°の角度で交差する第２の仮想線ｉｍｇ２よりも針先３１４が上記の９０°を超える側に出ているように構成されている。即ち、図２（ａ）に示す実施例１では、針先３１４が（１）で示す距離だけ９０°を超える側に出ているように構成されている。また、図２（ｂ）に示す実施例２では、針先３１４が（２）で示す距離だけ９０°を超える側に出ているように構成されている。
【００１５】
図３は、本発明の第１の実施形態の掛けバリ３００の構成を示す第２の図であり、図３（ｃ）は実施例３、図３（ｄ）は実施例４の構成をそれぞれ示す。図３（ｃ）（ｄ）に示すように、掛けバリ３００は、所定の長さ直線状に伸長する結い代３０２と、結い代３０２の基端側に設けられる結い元３０４と、結い代３０２の先端側に形成される残余の湾曲部３１０と、湾曲部３１０がフトコロ３１２を有するように湾曲部３１０の先端に形成される針先３１４を備えている。そして、本実施形態の掛けバリ３００の特徴として、結い代３０２の延長線３０２Ｅに対して４５°の角度で交差する第１の仮想線ｉｍｇ１により湾曲部３１０を結い元側湾曲部３１０Ａと針先側湾曲部３１０Ｂに区分けした場合に、針先側湾曲部３１０Ｂに掛けバリ３００の重心が位置するように構成されている。また、結い代３０２の延長線３０２Ｅに対して９０°の角度で交差する第２の仮想線ｉｍｇ２よりも針先３１４が上記の９０°を超える側に出ているように構成されている。即ち、図３（ｃ）に示す実施例３では、針先３１４が（３）で示す距離だけ９０°を超える側に出ているように構成されている。また、図３（ｄ）に示す実施例４では、針先３１４が（４）で示す僅かな距離だけ９０°を超える側に出ているように構成されている。このように、本発明が成立するためには、結い代３０２の延長線３０２Ｅに対して９０°の角度で交差する第２の仮想線ｉｍｇ２よりも針先３１４が上記の９０°を超える側にほんの僅かでも出ているように構成されていれば良い。
【００１６】
ここで、上述した図２及び図３に示した実施例１乃至４を対比して検討することで、鮎の友釣り用掛けバリとして本発明が成立するための必須の構成要件について説明する。図４は、図２及び図３に示した実施例１乃至４を対比して示す第１の図である。図４（ａ）（ｂ）（ｃ）（ｄ）に示すように、本発明が成立するための前提要件として、掛けバリ３００は、所定の長さ直線状に伸長する結い代３０２と、結い代３０２の基端側に設けられる結い元３０４と、結い代３０２の先端側に形成される残余の湾曲部３１０と、湾曲部３１０がフトコロ３１２を有するように湾曲部３１０の先端に形成される針先３１４を備えていることが必要である。そして、本発明が成立するための第１の必須要件として、掛けバリ３００は、結い代３０２の延長線３０２Ｅに対して４５°の角度で交差する第１の仮想線ｉｍｇ１により湾曲部３１０を結い元側湾曲部３１０Ａと針先側湾曲部３１０Ｂに区分けした場合に、針先側湾曲部３１０Ｂに掛けバリ３００の重心が位置するように構成されていることが必要である。重心が結い元側湾曲部３１０Ａではなく針先側湾曲部３１０Ｂに位置している、換言すれば、針先側湾曲部３１０Ｂの方が結い元側湾曲部３１０Ａよりも重ければ良く、どの程度より重いかは問わない。また、湾曲部３１０の湾曲具合（湾曲形状）により針先側湾曲部３１０Ｂの方が重くても良いし、針先側湾曲部３１０Ｂと結い元側湾曲部３１０Ａの針の太さ（径）を異ならせ、或いは両者の材質を異ならせることで、針先側湾曲部３１０Ｂの方が重くなるようにしても良い。更に、本発明が成立するための第２の必須要件として、掛けバリ３００は、結い代３０２の延長線３０２Ｅに対して９０°の角度で交差する第２の仮想線ｉｍｇ２よりも針先３１４が上記の９０°を超える側に出ているように構成されていることが必要である。即ち、図４（ａ）（ｂ）（ｃ）（ｄ）に示すように、実施例１、２、３、４の順に、針先３１４が上記の９０°を超える側により多く出ているように構成されている。しかしながら、上記の９０°を超える側により出ている距離は問わず、ほんの僅かでも出ていれば良い。
【００１７】
図５は、図２及び図３に示した実施例１乃至４を対比して示す第２の図である。図５（ａ）（ｂ）（ｃ）（ｄ）に示すように、図５下段には、実施例１、２、３、４の順に、図４と同じ図を示している。一方、図５上段には、実施例１、２、３、４の順に、他の実施例をオーバーラップして、やや薄い線で示している。図５（ａ）（ｂ）（ｃ）（ｄ）の上段の図からも分かるように、針先３１４が上記の９０°を超える側に出ているように構成されていれば、針先３１４の先端は斜め上を向いた状態になっている。
【００１８】
ここで、上述した図２乃至図５に加え、再び図１をも参照して、本発明の第１の実施形態の掛けバリの作用効果を説明する。従来の友釣り効率が低調な原因のひとつに、掛けバリが水流の中で、その針先が上（川の水面）側を向いた状態で水中に浮遊することが多く、その状態では、囮鮎の下腹部・肛門付近を狙って攻撃してくる野鮎の脇腹等に針先が引っ掛かり難いことは上述した通りである。これに対して、本発明の第１の実施形態の掛けバリ３００は、所定の長さ直線状に伸長する結い代３０２と、結い代３０２の基端側に設けられる結い元３０４と、結い代３０２の先端側に形成される残余の湾曲部３１０と、湾曲部３１０がフトコロ３１２を有するように湾曲部３１０の先端に形成される針先３１４を備え、結い代３０２の延長線３０２Ｅに対して４５°の角度で交差する第１の仮想線ｉｍｇ１により湾曲部３１０を結い元側湾曲部３１０Ａと針先側湾曲部３１０Ｂに区分けした場合に、針先側湾曲部３１０Ｂに掛けバリ３００の重心が位置しており、且つ、結い代３０２の延長線３０２Ｅに対して９０°の角度で交差する第２の仮想線ｉｍｇ２よりも針先３１４が上記の９０°を超える側に出ているように構成されているので、掛けバリ３００が水流の中で、図１に示すように、その針先３１４側が下（川底）側を向いた状態で水中に浮遊するようになるので、囮鮎１００の下腹部・肛門付近を狙って攻撃してくる野鮎２００の脇腹等に針先が引っ掛かり易くなる。また、図５（ａ）（ｂ）（ｃ）（ｄ）の上段の図からも分かるように、針先３１４の先端は斜め上を向いた状態になって浮遊するようになるので、野鮎２００の脇腹等に針先が引っ掛かった後、釣り上げ易くもなる。このように、針先側湾曲部３１０Ｂに掛けバリ３００の重心が位置すると共に、結い代３０２の延長線３０２Ｅに対して９０°の角度で交差する第２の仮想線ｉｍｇ２よりも針先３１４が先に（９０°を超える側に）出ているので、水流の中で、前述したのと別の言い方をすれば、そのフトコロ３１２が下（川底）側を向いた状態で水中に浮遊するようにできる結果、その状態では、囮鮎１００の下腹部・肛門付近を狙って攻撃してくる野鮎２００の脇腹等に針先が引っ掛かり易くなる。従って、従来の掛けバリに比べ友釣り効率を大幅に改善可能である。
【００１９】
次に、図６を参照して、本発明の第１の実施形態の変形例として掛けバリ３００を２個又は３個直列に連結した鮎の友釣り用仕掛けについて説明する。図６（a）は、第１の実施形態の掛けバリ３００をハリスを介して直列に二本連結したチラシ針６０２、図６（b）は、第１の実施形態の掛けバリ３００をハリスを介して直列に三本連結したチラシ針６０３を示している。これらの変形例に係る二本連結チラシ針６０２又は三本連結チラシ針６０３によれば、上述したように、一本でさえ針先３１４側が下（川底）側を向いた状態で水中に浮遊するようになるため野鮎２００の脇腹等に針先３１４が引っ掛かり易い掛けバリ３００が所定の間隔をおいて直列に二本又は三本連結して配流されるので、友釣り効率を更に高めることも可能である。
【００２０】
図７を参照して、上述した変形例に係る連結チラシ針の作用効果を説明する。図７に示すように、野鮎２００が囮鮎１００の尾びれ付近或いは尾びれからやや離れた所のどちらの辺りを泳いできても、それぞれの掛けバリ３００のどちらかに引っ掛かり易いので、友釣り効率を更に高めることも可能である。一方、養殖された鮎が川に放流されて野鮎となるケースでは考えられるが、お互いに比較的縄張り意識の低い二匹の野鮎２００が囮鮎１００の尾びれ付近或いは尾びれからやや離れた所を泳いできた場合、それぞれの掛けバリ３００に二匹の野鮎２００が引っ掛かり易いので、やはり友釣り効率を高めることが可能である。
【００２１】
図８は、本発明の第２の実施形態の掛けバリの構成を示す図である。図８に示すように、本発明の第２の実施形態の掛けバリ３００では、結い元３０４は、結い代３０２に対して反り返っている。従来では、結い元３０４が野鮎２００の横腹等に当接して邪魔になり、針先３１４が野鮎２００に食い込むことなく蹴られてしまうことが多かったが、結い元３０４が結い代３０２に対して反り返っていると、かかる事態を有効に防止することができる。尚、結い元３０４が結い代３０２に対して反り返っている形状には、図８に示す反り返り形状だけでなく、結い元３０４がアールを有するように（弧状に）反り返り、或いは結い元３０４がリング状に形成される等、様々なバリエーションが考えられる。
【００２２】
図９乃至図１１を参照して、上述した第２の実施形態の掛けバリの作用効果を説明する。まず、図９に示すように、針先３１４が野鮎２００の横腹に当接する。ここで、釣り糸が引かれると、結い元３０４が野鮎２００の横腹（の鱗）に当接する瞬間が存在するが、従来の掛けバリでは、結い元３０４が野鮎２００の横腹（の鱗）につかえて蹴られてしまい、その結果、針先３１４が回転して抜けてしまうことがあったのに対し、第２の実施形態の掛けバリでは、結い元３０４が結い代３０２に対して反り返っているので、結い元３０４が野鮎２００の横腹に当接した後、図１０及び図１１に示すように、反り返りにより結い元３０４を支点として回転するので、図１０に示すように、針先３１４の先端が野鮎２００の横腹に刺さり、更に、図１１に示すように、食い込むようになる。その結果、野鮎２００を確実に引っ掛けて釣り上げることができる。以上のように、本発明の第２の実施形態の掛けバリ３００では、結い元３０４は、結い代３０２に対して反り返っているので、従来では、結い元が野鮎の横腹等に当接して邪魔になり、針先の先端が野鮎の腹等に食い込むことなく蹴られてしまうことが多かったが、本実施形態のように結い元３０４が結い代３０２に対して反り返っていると、かかる事態を有効に防止することができる。
【産業上の利用可能性】
【００２３】
本発明は、鮎の友釣り用掛けバリについて発明されたものであり、上述した実施形態では一本のみの掛けバリ、二本連結チラシ針又は三本連結チラシ針について述べたが、四本以上の連結チラシ針或いは複数の掛けバリを用いる鮎の友釣り用掛けバリのその他の形態についても適用できるのは勿論である。
【符号の説明】
【００２４】
１００  囮鮎、  １０２  逆バリ、  １０４  ハリス、  ２００  野鮎、
３００  掛けバリ、  ３０２  結い代、  ３０２Ｅ  延長線、  ３０４  結い元、
３１０  湾曲部、  ３１０Ａ  結い元側湾曲部、  ３１０Ｂ  針先側湾曲部、
３１２  フトコロ、  ３１４  針先、  ｉｍｇ１  第１の仮想線、
ｉｍｇ２  第２の仮想線
【図１】
2018011548.tif 000003
【図２】
2018011548.tif 000004
【図３】
2018011548.tif 000005
【図４】
2018011548.tif 000006
【図５】
2018011548.tif 000007
【図６】
2018011548.tif 000008
【図７】
2018011548.tif 000009
【図８】
2018011548.tif 000010
【図９】
2018011548.tif 000011
【図１０】
2018011548.tif 000012
【図１１】
2018011548.tif 000013